(57)【要約】【課題】サーマルヘッドの移動スペースおよびその背面側に押圧機構の設置スペースを必要とすることの無いコンパクトなサーマルプリンタを提案することにある。【解決手段】サーマルプリンタ１は、本体ユニット２の前面に前方に開閉可能に開閉蓋ユニット３が取り付けられている。開閉蓋ユニット３の上端部にはプラテンローラ１５が取り付けられ、本体ユニット２の側に取り付けられているサーマルヘッド１６のヘッド面１６ａに対して、開閉ユニット３に取り付けた押圧機構６０によってプラテンローラ１５が押し付けられている。本体ユニット２の前端部分に取り付けたサーマルヘッド１６の背面側である上側に押圧機構を設ける必要がないので、プリンタ高さ寸法を抑えたコンパクトなサーマルプリンタを実現できる。【選択図】図６
2007038436.tif 000002
【特許請求の範囲】
【請求項１】
プリンタ本体と、
このプリンタ本体に開閉可能に取り付けられている開閉蓋ユニットと、
前記プリンタ本体に取り付けられているサーマルヘッドと、
前記サーマルヘッドに対して接近および離れる方向に移動可能な状態で、前記開閉蓋ユニットに取り付けられているプラテンローラと、
前記開閉蓋ユニットに搭載され、前記プラテンローラを前記サーマルヘッドに押し付けている押圧機構とを有していることを特徴とするサーマルプリンタ。
【請求項２】
請求項１において、
前記押圧機構は、揺動レバーと、当該揺動レバーに所定方向の揺動力を与えている付勢部材とを備えており、
前記揺動レバーにより前記プラテンローラの側の円形外周面がサーマルヘッドに向けて
押圧されており、当該円形外周面を押圧している前記揺動レバーの押圧面は、円弧面となっていることを特徴とするサーマルプリンタ。
【請求項３】
請求項１において、
前記開閉蓋ユニットを閉じる際に、前記プラテンローラを前記サーマルヘッドのヘッド面から離れる方向に一時的に退避させた後に当該ヘッド面に当接させる移動軌跡に沿って、当該プラテンローラをガイドするガイド部を有していることを特徴とするサーマルプリンタ。
【請求項４】
請求項３において、
前記ガイド部は、前記サーマルヘッドが取り付けられているヘッド取付板におけるプリンタ幅方向の両端部に形成した左右のガイド面であり、
各ガイド面に連続して前記プラテンローラの位置決め面が形成されていることを特徴とするサーマルプリンタ。
【請求項５】
請求項１において、
前記プラテンローラの一方の端には従動歯車が同軸状態で取り付けられており、
前記プリンタ本体には、前記従動歯車に噛み合う駆動側歯車が取り付けられており、
前記押圧機構は、前記プラテンローラの他方の端を押圧することを特徴とするサーマルプリンタ。
【請求項６】
請求項１ないし５のうちのいずれかの項において、
前記開閉蓋ユニットは、前記プリンタ本体の前面に取り付けられ、当該開閉蓋ユニットの下端部を中心として、ほぼ垂直に起立した閉じ位置からプリンタ前方に向けて所定角度だけ開いた開き位置まで開くことが可能であり、
前記プラテンローラは前記開閉蓋ユニットの上端部においてプリンタ幅方向に水平に架け渡されており、
前記サーマルヘッドは、前記開閉蓋ユニットの前記上端部の上側に位置する前記プリンタ本体の前端部に、下向きの水平姿勢で取り付けられていることを特徴とするサーマルプリンタ。
【発明の詳細な説明】
【技術分野】
【０００１】
本発明はサーマルプリンタに関し、特に、サーマルヘッドのヘッド面に記録紙を押し付けながら搬送するためにプラテンローラを押圧している押圧機構の改良に関するものである。
【背景技術】
【０００２】
サーマルプリンタでは、サーマルヘッドがプラテンローラに押し付けられており、これらの間に通した記録紙をサーマルヘッドに押し付けられた状態で搬送しながら印刷が行われる。サーマルヘッドは、その背面側からコイルばねなどを備えた押圧機構によって、プラテンローラの側に押し付けられている。
【０００３】
サーマルプリンタとしては、サーマルヘッドをプリンタ本体に搭載し、プラテンローラをプリンタ本体に開閉可能に取り付けた開閉蓋ユニットの側に搭載した構成のものが知られている。開閉蓋ユニットを開くと、そこに搭載されているプラテンローラがサーマルヘッドから離れ、記録紙をサーマルヘッドとプラテンローラの間に配置する作業などを簡単に行うことができる。下記の特許文献１にはこの構成のサーマルプリンタが開示されている。
【特許文献１】特開平１０−１４７０２３号公報
【発明の開示】
【発明が解決しようとする課題】
【０００４】
この構成のサーマルプリンタにおいて、プリンタ本体に搭載されているサーマルヘッドの背面側にその押圧機構を配置するスペースを確保できない場合がある。また、サーマルヘッドを移動可能な状態で配置するスペースを確保することが困難な場合もある。
【０００５】
本発明の課題は、このような点に鑑みて、サーマルヘッドの移動スペースおよびその背面側に押圧機構の設置スペースを必要とすることの無い小型のサーマルプリンタを提案することにある。
【課題を解決するための手段】
【０００６】
上記の課題を解決するために、本発明のサーマルプリンタは、
プリンタ本体と、
このプリンタ本体に開閉可能に取り付けられている開閉蓋ユニットと、
前記プリンタ本体に取り付けられているサーマルヘッドと、
前記サーマルヘッドに対して接近および離れる方向に移動可能な状態で、前記開閉蓋ユニットに取り付けられているプラテンローラと、
前記開閉蓋ユニットに搭載され、前記プラテンローラを前記サーマルヘッドに押し付けている押圧機構とを有していることを特徴としている。
【０００７】
本発明では、プリンタ本体に取り付けられているサーマルヘッドの側を固定し、開閉蓋ユニットに取り付けられているプラテンローラを移動可能とし、当該プラテンローラを押圧機構によりサーマルヘッドに押し付けるようにしている。したがって、サーマルヘッドを移動可能な状態で配置する必要がなく、また、その背面側に押圧機構を設置するためのスペースが不要になる。
【０００８】
本発明において、前記押圧機構は、揺動レバーと、当該揺動レバーに所定方向の揺動力を付与している付勢部材とを備え、前記揺動レバーにより前記プラテンローラの側の円形外周面がサーマルヘッドに対し押圧されており、当該円形外周面を押圧している前記揺動レバーの押圧面は、前記プラテンローラに対する押圧力の方向が変化しないように円弧面となっていることを特徴としている。
【０００９】
揺動レバーを用いることにより、付勢部材の配置位置の自由度が高くなる。また、押圧力の作用方向が一定であるので、常に、適切な押圧力でプラテンローラをサーマルヘッドに押し付けることができる。
【００１０】
次に、本発明のサーマルプリンタでは、前記開閉蓋ユニットを閉じる際に、前記プラテンローラを前記サーマルヘッドのヘッド面から離れる方向に一時的に退避させた後に当該ヘッド面に当接させる移動軌跡に沿って、当該プラテンローラをガイドするガイド部を有していることを特徴としている。
【００１１】
開閉蓋ユニットに取り付けられているプラテンローラは開閉蓋ユニットを閉じる際に、円弧状の軌跡を描いてサーマルヘッドのヘッド面に押し付けられた状態になる。したがって、ヘッド面に押し付けられる直前においてはサーマルヘッドの端面の角に衝突し、当該端面の角が摩耗してしまう。さらにプラテンローラの表面を損傷または磨耗することがある。従来では、当該端面を傾斜面に加工するなどの工夫を施している。本発明では、プラテンローラの側が移動可能となっていることを利用して、一時的にプラテンローラをサーマルヘッドのヘッド面から離れる方向に後退させている。したがって、サーマルヘッドの端面形状を加工することなく、当該部分が摩耗することやプラテンローラの損傷を防止できる。
【００１２】
ここで、本発明において、前記ガイド部は、前記サーマルヘッドが取り付けられているヘッド取付板におけるプリンタ幅方向の両端部に形成した左右のガイド面であり、各ガイド面に連続して前記プラテンローラの位置決め面が形成されていることを特徴としている。この構成によれば、各ガイド面によってプラテンローラの両端部分が案内され、開閉ユニットを閉じた状態においては、これらのガイド面に連続して形成されている位置決め面によって、プラテンローラが位置決めされた状態になる。よって、移動可能に配置されているプラテンローラを精度良く位置決めすることができる。
【００１３】
次に、本発明のサーマルプリンタでは、前記プラテンローラの一方の端には従動歯車が同軸状態で取り付けられており、前記プリンタ本体には、開閉蓋ユニットを閉状態のとき、前記従動歯車に噛み合う駆動側歯車が取り付けられており、前記押圧機構は、前記プラテンローラの他方の端を押圧することを特徴としている。
【００１４】
サーマルヘッドに対してプラテンローラの各部分を均一な押圧力で押し付けるためには、プラテンローラの両端部分にそれぞれ押圧機構を配置して、プラテンローラの両端部分を押圧することが望ましい。しかしながら、プラテンローラが開閉蓋ユニットの側に取り付けられている場合には、プラテンローラに回転力を伝達するための駆動側歯車がプリンタ本体に取り付けられ、開閉蓋ユニットを閉じると、プラテンローラの側の従動側歯車がプリンタ本体側の駆動側歯車に噛み合った状態が形成される。駆動側歯車から従動側歯車に回転力が伝達されると、その際に従動側歯車に作用する力を利用して、プラテンローラをサーマルヘッドの側に押圧することが可能である。このような駆動側歯車から作用する力を利用すれば、プラテンローラの押圧機構を、プラテンローラの他方の側にのみ配置しておくだけで良い。
【００１５】
一方、本発明のサーマルプリンタでは、前記開閉蓋ユニットは、前記プリンタ本体の前面に取り付けられており、当該開閉ユニットの下端部を中心として、ほぼ垂直に起立した閉じ位置からプリンタ前方に向けて所定角度だけ開いた開き位置まで開くことが可能であり、前記プラテンローラは、前記開閉蓋ユニットの上端部においてプリンタ幅方向に水平に架け渡されており、前記サーマルヘッドは、前記開閉蓋ユニットの前記上端部の上側に位置する前記プリンタ本体の前端部に、下向きの水平姿勢で取り付けられていることを特徴としている。
【００１６】
このように、開閉蓋ユニットをプリンタ前面に配置して前方に開けるようにした場合には、プリンタ本体の前端部においてサーマルヘッドが下向きで水平に取り付けられる。本発明では、サーマルヘッドの背面側である上側には押圧機構が不要であり、また、サーマルヘッドが上下に移動できるようにスペースを確保する必要もない。したがって、本発明によれば、プリンタ前面に開閉蓋ユニットが取り付けられている構成のサーマルプリンタにおける高さ寸法を抑制することができる。
【発明の効果】
【００１７】
本発明のサーマルプリンタでは、プリンタ本体に取り付けられているサーマルヘッドの側を固定し、開閉蓋ユニットに取り付けられているプラテンローラを移動可能とし、当該プラテンローラを押圧機構によりサーマルヘッドに押し付けるようにしている。したがって、サーマルヘッドを移動可能な状態で配置する必要がなく、また、その背面側に押圧機構を設置するためのスペースが不要になる。よって、本発明によれば、プリンタ前面に開閉蓋ユニットが取り付けられているサーマルプリンタにおける高さ寸法を抑制でき、小型にできるという効果が得られる。
【発明を実施するための最良の形態】
【００１８】
以下に、図面を参照して、本発明を適用したプリンタの実施の形態を説明する。
【００１９】
（全体構成）
図１は本発明を適用したサーマルプリンタの外観斜視図であり、図２はその開閉蓋ユニットを開けた状態を示す外観斜視図である。
【００２０】
本実施の形態に係るサーマルプリンタ１は、プリンタ本体２と、その前面に取り付けた開閉蓋ユニット３を有しており、プリンタ本体２の前面の端には操作パネルユニット４が取り付けられている。プリンタ前面における開閉蓋ユニット３の上端部分には、プリンタ幅方向に延びる記録紙排出口５が形成されている。
【００２１】
プリンタ本体２は、前面および底面が開口した前後に長いボックス形状の本体ケース６によって覆われている。開閉蓋ユニット３の前面には、プリンタ前面を規定している開閉蓋ケース７が取り付けられている。開閉蓋ユニット３は、操作パネルユニット４に配置されている操作レバー８を操作すると、不図示の蓋ロックが解除されて下端部を中心として前方に開くようになっている。開閉蓋ユニット３が開くと、内部に形成されているロール紙収納部９が露出し、ロール紙１０（ロール状に巻かれた記録紙）の交換作業などを行うことができる。操作パネルユニット４の前面には、ＬＥＤなどからはる状態表示ランプ群４ａ、フィードボタン４ｂ、電源スイッチ４ｃが配置されている。
【００２２】
図３はサーマルプリンタ１の内部を示す概略構成図である。サーマルプリンタ１の内部には、プリンタ幅方向に延びる円弧状の紙案内下１２、紙案内上１３および紙案内前１４によって囲まれたロール紙収納部９が形成されている。ここには、転動自在の状態でロール紙１０が収納され、ここから繰り出されるテープ状の記録紙１０ａは、プラテンローラ１５と、サーマルヘッド１６の間の印刷位置を通過して前方に引き出されて、その前方に位置している記録紙排出口５から前方に排出される。
【００２３】
本例では、開閉蓋ユニット３が閉じた状態のとき、プラテンローラ１５が後述の押圧機構によってサーマルヘッド１６のヘッド面１６ａに押し付けられている。記録紙排出口５は、本体ケース６の天板部分６ａの先端縁６ｂと、この下側に位置している開閉蓋ケース７の円弧状の天板部分７ａの間に形成されている。この記録紙排出口５の手前には鋏式の記録紙切断装置２０が配置されている。
【００２４】
記録紙切断装置２０は、プリンタ本体２の側に搭載されている固定刃２１と、開閉蓋ユニット３の側に搭載されている可動刃２２および可動刃駆動機構２３とを有している。固定刃２１は刃先２１ａが前方を向く略水平な姿勢で、プリンタ幅方向に配列されている。可動刃２２は、固定刃２１の刃先２１ａのほぼ真下の位置において、刃先２２ａが上を向く略垂直な姿勢で、プリンタ幅方向に配列されている。これらの刃先２１ａ、２２ａの間（記録紙切断位置）を通って記録紙１０ａが排出された状態において、下側の可動刃２２を上方に旋回させることにより、両刃先２１ａ、２２ａによって記録紙１０ａの部位を挟みながらプリンタ幅方向に切断する。
【００２５】
図４（ａ）および（ｂ）は、本体ケース６および開閉蓋ケース７を取り外した状態のプリンタ本体２および開閉蓋ユニット３を示す斜視図および側面図である。図５（ａ）および（ｂ）は、開閉蓋ユニット３を開けた状態の斜視図および側面図である。
【００２６】
これらの図を参照して説明すると、プリンタ本体２は、ベース板３１と、このベース板３１から垂直に起立している左右の側板３２、３３とを備えている（なお、図においては左側（操作レバー８の配置されている側）の側板３２を取り外した状態が示されている。）側板３２、３３の上端の間には、ヘッド取付板３４がプリンタ幅方向に水平に架け渡されており、このヘッド取付板３４の下面に、ヘッド面１６ａが下向きのほぼ水平姿勢となる配置でサーマルヘッド１６が取り付けられている。
【００２７】
ヘッド取付板３４の上側には固定刃取付板３５がプリンタ幅方向に水平に配置されており、この固定刃取付板３５の前端部下側に記録紙切断装置２０の固定刃２１が前向きでほぼ水平に取り付けられている。固定刃取付板３５は、側板３２、３３の外側に配置されている左右の旋回板３６、３７の上端の間に架け渡されている。旋回板３６、３７は、それらの下端部３６ａ、３７ａ（図においては下端部３６ａのみを示す。）を中心としてプリンタ前後方向に僅かに旋回可能である。記録紙切断装置２０による記録紙１０ａの切断時には、可動刃２２が下側から上方に旋回して固定刃２１を後方に押し込みながら双方の刃先２１ａ、２２ａが点接触状態で交差して、記録紙１０ａが切断される。切断時において固定刃２１を僅かに後退させるために、旋回板３６、３７によって固定刃２１が支持されている。
【００２８】
一方、開閉蓋ユニット３は、プリンタ本体２の側板３２、３３の下端部に取り付けられている支軸４１、４２を中心としてプリンタ前方に所定角度だけ開くようになっている。開閉蓋ユニット３は、前板部分４３と、この両側から後方に直角に折れ曲がっている細幅の側板部分４４、４５とを備えている。前板部分４３の前面には、記録紙切断装置２０の可動刃２２および可動刃駆動機構２３が取り付けられており、これらの部分が保護板２４によって覆われている。保護板２４の前側は開閉蓋ケース７によって覆われている。
【００２９】
開閉蓋ユニット３の側板部分４４、４５の上端部分には、長穴４６、４７が形成されており、これらには、摺動可能な状態で軸受け４８、４９（図６参照）が装着され、これらの軸受け４８、４９によって、プラテンローラ１５のローラ軸５０の両端部が回転自在の状態で支持されている。長穴４６、４７は、プリンタ本体２の側のサーマルヘッド１６のヘッド面１６ａに対して接近および離れる方向に長く形成され、したがって、プラテンローラ１５は、ヘッド面１６ａに対して接近および離れる方向に僅かに移動可能である。プラテンローラ１５は、詳細を後述する押圧機構６０によって、開閉蓋ユニット３が閉じた状態のときは常にサーマルヘッド１６のヘッド面１６ａに押し付けられた状態に保持されている。本例の押圧機構６０は、開閉蓋ユニット３の側板部分４４、４５の内側にそれぞれ配置されており、図４（ｂ）に点線で示すように、揺動レバー６１と、引張りコイルばね６２を備えている。
【００３０】
次に、図５に示すように、プリンタ本体２のヘッド取付板３４におけるプリンタ幅方向の両側には下方に直角に折り曲げた側板部分５１、５２が形成されており、この側板部分５１、５２の下端面には、開閉蓋ユニット３を閉じる際におけるプラテンローラ１５の移動軌跡を規制するためのガイド面５１ａ、５２ａが形成されている。また、これらのガイド面５１ａ、５２ａの後端に連続してプラテンローラ１５の位置決め面５１ｂ、５２ｂが形成されている。
【００３１】
上記のように、開閉蓋ユニット３には、ロール紙収納部９の紙案内前１４およびプラテンローラ１５と、上記のように記録紙切断装置２０の可動刃２２が搭載されている。したがって、開閉蓋ユニット３を閉じ位置３Ａから開き位置３Ｂに開くと、図２に示すように、ロール紙収納部９が開放状態となると共に、ロール紙収納部９から印刷位置および切断位置を経由して記録紙排出口５に到る記録紙搬送路が開放状態になる。したがって、ロール紙収納部９に収納されたロール紙１０から記録紙１０ａを引き出した状態で開閉蓋ユニット３を閉じると、かかる記録紙搬送路に沿って記録紙１０ａがセットされた状態を自動的に形成できる。
【００３２】
なお、本例の開閉蓋ケース７は、図３に示すように、その上端部が前方に傾斜した円弧状の天板部分７ａによって規定されており、この円弧状の天板部分７ａの前端縁から下方に前板部分７ｂが延びている。前板部分７ｂは、全体として、その下端に比べて上端がプリンタ前方に迫り出した姿勢となっており、円弧状の天板部分７ａの前端縁に連続する部分は僅かに湾曲した断面形状となっている。天板部分７ａの後端部分と、この上側の位置しているプリンタ本体２の本体ケース６の天板部分６ａの前端縁６ｂの間が記録紙排出口５となっている。したがって、液体などが上方から天板部分７ａに落下したとしても、当該天板部分７ａに沿って前方に流れ落ちる。よって、記録紙排出口５からプリンタ内部に液体などが侵入することがない。また、天板部分７ａの下側の前板部分７ｂは天板部分７ａの前端縁からプリンタ後方に傾斜しており、当該前板部分７ｂと、天板部分７ａに沿って排出された記録紙１０ａとの間には広い隙間が形成される。よって、この隙間に指を入れることにより、排出されて下方に垂れ下がっている記録紙１０ａを簡単に掴み取ることができるので便利である。
【００３３】
（プラテンローラの押圧機構）
図６は、プラテンローラ１５をサーマルヘッド１６に押し付けている押圧機構６０を示す説明図であり、図７は押圧機構６０の配置位置を示す説明図であり、本例では押圧機構６０は、プラテンローラ１５の両端側の２箇所に配置されている。
【００３４】
左側の押圧機構６０は揺動レバー６１と引張りコイルばね６２とを備えている。揺動レバー６１は、開閉蓋ユニット３の左側板部分４４の内側面に取り付けた支軸６３を中心としてプリンタ前後方向に揺動可能な状態で支持されており、当該支軸６３によって支持されている部分を中心として、上側腕部分６１ａは上端側が後方に折れ曲がったＬ形状をしており、下側腕部分６１ｂは下端側が前方に折れ曲がったＬ形状をしている。上側腕部分６１ａの上端面は上側に凸の円弧面６１ｃとなっており、当該円弧面６１ｃが、下側から、プラテンローラ１５のローラ軸５０の左端部分を回転自在に支持している左側の軸受け４８を押し上げている。
【００３５】
揺動レバー６１の下側腕部分６１ｂの先端にはばね掛け６１ｄが形成されており、側板部分４４におけるばね掛け６１ｄよりも下方の部位にもばね掛け６４が切り起こされている。これらのばね掛け６１ｄおよび６４の間に、引張り状態で引張りコイルばね６２が架け渡されている。したがって、揺動レバー６１は支軸６３を中心として、その上側腕部分６１ａの円弧面６１ｃが軸受け４８を押し上げる方向に付勢されている。
【００３６】
他方の右側の押圧機構６０も同一構造となっており、左右の押圧機構６０の引張りコイルばね６２のばね力によって、プラテンローラ１５が全体としてサーマルヘッド１６のヘッド面１６ａに所定の力で押し付けられた状態が形成されている。
【００３７】
ここで、図６（ｂ）に示すように、揺動レバー６１の円弧面６１ｃによって、プラテンローラ１５の軸受け４８、４９の円形外周面４８ａ、４９ａを押し上げている。これらの円弧面６１ｃの曲率を適切に設定しておくことにより、揺動レバー６１が揺動しても、円弧面６１ｃが当接している軸受け外周面４８ａ、４９ａの位置が変化しない。この結果、常に、プラテンローラ１５に対して同一方向の押圧力Ｆが作用する。よって、プラテンローラ１５の外周面を常に一定の押圧力でサーマルヘッド１６のヘッド面１６ａに押し付けた状態を保持できる。
【００３８】
次に、プリンタ本体２のヘッド取付板３４の両側にはガイド面５１ａ、５２ａが形成されている。図６（ｃ）に示すように、ガイド面５１ａ、５２ａは前方から後方に向けて下方に傾斜した傾斜面であり、これらの後端には上方に湾曲した位置決め面５１ｂ、５２ｂが連続している。開閉蓋ユニット３を閉じる際には、この上端部分に移動可能な状態で支持されているプラテンローラ１５の左右の軸受け４８、４９がこれらのガイド面５１ａ、５２ａに下側から当たるようになっている。
【００３９】
開閉蓋ユニット３の旋回に伴って支軸４１、４２を中心とする円弧状の移動軌跡Ｌに沿って移動するプラテンローラ１５の軸受け４８、４９は、これらのガイド面５１ａ、５２ａによって僅かに下方に強制的に押し込まれ、サーマルヘッド１６のヘッド面１６ａから離れる。開閉蓋ユニット３が閉じ位置に到ると、各軸受け４８、４９は、これらのガイド面５１ａ、５２ａに続く位置決め面５１ｂ、５２ｂに嵌り込み、再びサーマルヘッドのヘッド１６ａの方向に押し上げられた状態になる。
【００４０】
このように軸受け４８、４９をガイドすると、すなわちプラテンローラ１５をガイドすると、開閉蓋ユニット３が閉じ位置３Ａに到る直前で一時的にプラテンローラ１５がサーマルヘッド１６のヘッド面１６ａから離れるので、プラテンローラ１５の外周面がサーマルヘッドの先端部の角１６ｂに衝突することなく、プラテンローラ１５がサーマルヘッドのヘッド面１６ａに押し付けられた状態を形成できる。よって、サーマルヘッドの先端部分の形状を工夫して特別な加工を施し、衝突に伴う摩耗などを回避する必要がない。さらにプラテンローラの表面を損傷または磨耗することがない。
【００４１】
また、各ガイド面に続いて位置決め面５１ｂ、５２ｂが形成されているので、これらの位置決め面によって、ヘッド面１６ａに対するプラテンローラ１５の相対位置を精度良く規定することができる。よって、プラテンローラ１５を一定の押圧力でヘッド面１６ａに押し付けた状態を形成でき、印刷品位などの安定化を図ることができる。
【００４２】
（押圧機構の別の例）
ここで、開閉蓋ユニット３に取り付けられているプラテンローラ１５には、プリンタ本体２の側に搭載されている駆動機構の側から回転力が伝達されるようになっている。図８に示すように、プラテンローラ１５のローラ軸端には従動側歯車７１が取り付けられており、プリンタ本体２の側板３２には、これに噛み合う駆動側歯車７２が取り付けられている。駆動側歯車７２には、複合伝達歯車７３を介して、駆動モータ７４の側から回転力が伝達され、従動側歯車７１は、図８（ｂ）に矢印で示す方向に回転駆動される。駆動側歯車７２から従動側歯車７１への回転力の伝達によって、当該駆動側歯車７２から従動側歯車７１に対して、矢印Ｆ１で示すように、従動側歯車７１を押し上げる分力が作用する。
【００４３】
したがって、適切な大きさの分力Ｆ２が作用するように調整しておけば、従動側歯車７１が配置されている側においては、上記のような押圧機構６０を配置することなく、当該分力Ｆ２によってプラテンローラ１５をヘッド面１６ａに押し付けることが可能である。このようにすれば、一方の側にのみ押圧機構６０を配置しておくだけでよいので、製造コストの低減、小型・コンパクト化に有利である。
【図面の簡単な説明】
【００４４】
【図１】本発明を適用したサーマルプリンタの外観斜視図である。
【図２】サーマルプリンタの開閉蓋を開けた状態での外観斜視図である。
【図３】サーマルプリンタの内部構造を示す概略構成図である。
【図４】サーマルプリンタの本体ケースおよび開閉蓋を取り外した状態での斜視図および側面図である。
【図５】図４におけるサーマルプリンタの開閉蓋ユニットを開けた状態での斜視図および側面図である。
【図６】サーマルプリンタの押圧機構の部分を示す説明図である。
【図７】サーマルプリンタの押圧機構の配置位置を示す説明図である。
【図８】サーマルプリンタの押圧機構の別の例を示す説明図である。
【符号の説明】
【００４５】
１  サーマルプリンタ、２  プリンタ本体、３  開閉蓋ユニット、３Ａ  閉じ位置、３Ｂ開き位置、５  記録紙排出口、６  本体ケース、６ａ  天板部分、６ｂ  先端縁、７  開閉蓋ケース、７ａ  天板部分、７ｂ  前板部分、９  ロール紙収納部、１０  ロール紙、１５  プラテンローラ、１６サーマルヘッド、１６ａ  ヘッド面、２０  記録紙切断装置、３４  ヘッド取付板、４１，４２  支軸、４４，４５  側板部分、４６，４７  長穴、４８，４９  軸受け、４８ａ，４９ａ  円形外周面、５０  ローラ軸、５１，５２  側板部分、５１ａ，５２ａ  ガイド面、５１ｂ，５２ｂ  位置決め面、６０  押圧機構、６１  揺動レバー、６１ｃ  円弧面、６２  引張りコイルばね、６３  支軸、７１  従動側歯車、７２  駆動側歯車
【図１】
2007038436.tif 000003
【図２】
2007038436.tif 000004
【図３】
2007038436.tif 000005
【図４】
2007038436.tif 000006
【図５】
2007038436.tif 000007
【図６】
2007038436.tif 000008
【図７】
2007038436.tif 000009
【図８】
2007038436.tif 000010